(57)【特許請求の範囲】
【請求項１】
屋根裏の換気をなすように構成された屋根の棟構造における棟用瓦の下部と葺き上げられた屋根瓦との間に定置される棟用面戸であって、該屋根瓦に面して立設状に位置されかつ該屋根瓦の表面形状に沿う形状に形成された縁部を有する面戸脚部と、棟用瓦の下部に位置されかつ棟材側に定置される取付片部を有する支持片部とを備え、この支持片部の内面側には一方側が該支持片部の内面側に連通されかつ他方側が前記面戸脚部の内面側に開放された多数の小径の通路を組み合わせた通気路を形成し、前記面戸脚部には、その縁部に前記屋根瓦の表面に当接されてその隙間を遮蔽可能な所定厚さの弾性部材を配設するとともに、前記通気路の開放側と連通されかつ前記通気路の通路より大径の開口孔部を形成したことを特徴とする屋根の棟用面戸。
【発明の詳細な説明】
【０００１】
【発明の属する技術分野】
この発明は、建造物の屋根の棟、とくに屋根裏の換気に対応する棟構造に付設される屋根の棟用面戸に関する。
【０００２】
【従来の技術】
従来、この種の屋根裏の換気に対応する棟構造に使用される棟用面戸にあっては、面戸本体２０を、棟用瓦ＷＡの下部に位置される棟材Ｙに取付けられる取付片部２１と屋根瓦ＷＢに面して立設状に位置されかつその縁部が屋根瓦ＷＢの表面形状に沿う形状に形成された面戸脚部２２とを一体的に曲折形成し、そして、前記取付片部２１に通気孔２３を形成してその取付け状態における面戸本体２０の内側と棟用瓦ＷＡの内側との連通を計るように構成されていた。
【０００３】
【発明が解決しようとする課題】
しかしながら、上記の棟用面戸にあっては、棟部に葺上げられる棟用瓦の種類によっては本来の機能である換気が全く損ねられるという事態を生起するものであった。すなわち、葺上げられる棟用瓦ＷＡの内面が同一面となるようにその端部を重ね合わせられる棟用瓦にあっては、図４に示すように、棟材Ｙが棟用瓦ＷＡの内面頂部に当接されるとともに、面戸本体２０における取付片部２１と面戸脚部２２との折曲隅部が該棟用瓦ＷＡの内面側部に当接されてその間において棟用瓦ＷＡの内側の空間部Ｓｂを密閉する結果、該空間部Ｓｂに位置するように開けられた通気孔２３が必然的に閉塞された状態となり、本来の換気機能を発揮することがまったくできない構造となってしまい、結局、限られた棟用瓦にしか対応することができないという問題点を惹起していた。
そこで、本発明は上記した従来の問題点をに鑑み、葺上げられる棟用瓦の種類に何ら拘束されることなく、屋根裏の換気機能を維持できる構造に対して簡易に対応することができる屋根の棟用面戸を提供することを目的とするものである。
【０００４】
【課題を解決するための手段】
本発明の請求項１の発明は、屋根裏の換気をなすように構成された屋根の棟構造における棟用瓦の下部と葺き上げられた屋根瓦との間に定置される棟用面戸であって、該屋根瓦に面して立設状に位置されかつ該屋根瓦の表面形状に沿う形状に形成された縁部を有する面戸脚部と、棟用瓦の下部に位置されかつ棟材側に定置される取付片部を有する支持片部とを備え、この支持片部の内面側には一方側が該支持片部の内面側に連通されかつ他方側が前記面戸脚部の内面側に開放された多数の小径の通路を組み合わせた通気路を形成し、前記面戸脚部には、その縁部に前記屋根瓦の表面に当接されてその隙間を遮蔽可能な所定厚さの弾性部材を配設するとともに、前記通気路の開放側と連通されかつ前記通気路の通路より大径の開口孔部を形成したことを特徴とするものである。
この構成によれば、面戸脚部に形成した開口孔部、すなわち、棟用瓦の下端部と屋根瓦の表面との空隙部に面する面戸脚部の側部に開口孔部が位置されるので、棟用面戸の内側と外部とが通気路及び開口孔部を経て連通された状態となるので、該通路によって屋根裏の自然換気を可能とするものであり、換気機能を損ねることなく、開口孔部からの雨水等の侵入に対する雨仕様として有効に機能するものである。
【０００６】
【発明の実施の形態】
次に、発明の実施の形態を図面にしたがって説明する。
先ず、この実施の形態における棟用面戸１を取付ける棟部１０の概要について説明すると、その棟頂部を若干開口して組付けられた左右の野地板Ｙ１に対して所定の間隔で棟用金具１１が取付けられ、この金具１１間には棟材Ｙが取付けられ、この棟材Ｙの上部には、例えば、断面ほぼ半円形の冠瓦状の棟用瓦ＷＡが前記野地板Ｙ１上に葺上げられた屋根瓦ＷＢ（本例の場合は和瓦（桟瓦ともいう）を示す。）における棟きわの屋根瓦ＷＢ１と所定の空間部Ｓａをおいて葺上げられ、前記左右の野地板Ｙ１の棟頂部の開口部には屋根裏と前記空間部Ｓａとを連通する換気部材１２が立ち上がり状に設けられており、この空間部Ｓａ内に棟用面戸１が介装されてるものである。
【０００７】
この棟用面戸１を構成する面戸本体１Ａは、鉄鋼板、ステンレス鋼板あるいは合成樹脂材等から平板状に形成されていて、棟材Ｙに取付け定置される水平状の取付片部２と、該取付片部２の端部より所定の傾斜角で斜め下方に折曲された支持片部３と、該支持片部３から垂下状に曲折された面戸脚部４とから一体状に形成されている。
【０００８】
そして、この面戸本体１Ａ全体としては屋根の桁行き方向に対応して所定の長さ（屋根瓦の複数枚若しくは１枚分に相当する長さ）に形成されるとともに、その施工時にあっては前記棟きわの屋根瓦ＷＢ１に対応してその屋根瓦ＷＢ１の表面に対して面戸脚部４を立設状に位置するとともに、取付片部２を棟材ＹＩに定置して屋根の桁行き方向に順次接続状に取付けられるものである。
【０００９】
前記面戸脚部４の下端は葺上げられる屋根瓦ＷＢの表面形状に沿う形状（本例の場合は和瓦（桟瓦ともいう）に対応する曲線形状）に形成された縁部４ａとなし、この縁部４ａには、該曲線形状に沿うように、例えば、所定の肉厚を有するスポンジゴム等からなる弾性部材５が接着剤等により止着されている。
【００１０】
前記支持片部３の内面側には、前記該棟材Ｙの側面との間隔を残すように通気路６の形成部材７が取付けられている。すなわち、支持片部３の内面及び面戸脚部４との折曲隅部に臨むほぼ全域にかけて多数の空所（この空所が通気路５に相当する）部が層状（ハニカム状態）に形成するように、例えば、多数の孔を有する段ボール紙製或いは合成樹脂製等の平板を層状に積み重ねて通気路形成部材７が貼着されており、この多数の空所、すなわち、通気路６〜６は一方側が支持片部３の内面側内に連通されかつ他方側が前記面戸脚部４の内面側に面して開放されている。
【００１１】
前記面戸本体１Ａ、すなわち、面戸脚部４に通気路５の他方側の開放部位と連通された複数個の開口孔部８〜８が貫設されている。
【００１２】
なお、前記面戸本体１Ａ側における一方側端部は、他の面戸本体１Ａの接続状態に対応するために前記弾性部材５を除して所定の幅の接続部９が形成されている。
【００１３】
このように形成された棟用面戸１は、前述したように棟頂部を若干開口して組付けられた左右の野地板Ｙ１に所定の間隔で棟用金具１１が取付けられるとともに、両野地板Ｙ１に屋根瓦ＷＢが葺き上げられ、この金具１１間には棟材Ｙが取付けられ、さらに、左右の野地板Ｙ１の棟頂部の開口部に換気部材１２が立ち上がり状に設けられた状態において、該棟材Ｙを挟んで両側の屋根に対し、その面戸本体１Ａの下部（縁部４ａ）の弾性部材５を葺き上げられた屋根瓦ＷＢの棟わきの屋根瓦ＷＢ１に押圧状態で沿わせるとともに、取付片部２を棟材Ｙに釘等により止着し、屋根の桁行き方向に沿って次位の棟用面戸１の一方側端面を前記棟用面戸１の接続部９に重合状にして組付けるものである。
【００１４】
そして、上記状態において、棟用瓦ＷＢを前記棟用面戸１を覆うようにして被せて棟材Ｙに対して順次取付けていくものであり、この棟用瓦ＷＢは棟材Ｙに対して針金等で固定されるものである。
【００１５】
この状態において、前記棟用面戸１は屋根瓦ＷＢと棟用瓦ＷＡとで形成される空間部Ｓ内に該棟用瓦ＷＡの下部で覆われた状態で位置されるものであるが、仮に、図２に示すように、使用する棟用瓦ＷＡの種類によって、棟材Ｙが棟用瓦ＷＡの内面頂部に当接されるとともに、面戸本体１Ａにおける支持片部３と面戸脚部４との折曲隅部が該棟用瓦ＷＡの内面側部に当接されてその間において棟用瓦ＷＡの内側の空間部が閉塞された状態となったとしても、面戸脚部４の開口孔部８〜８が棟用面戸１の側面、すなわち、屋根の流れ方向に指向されているので、屋根裏と外気とが換気部１２から各通気路６〜６、空間部Ｓａを経て連通状態となり、該屋根裏の自然換気が行われるものである。
【００１６】
また、面戸脚部４の縁部４ａの弾性部材５が屋根瓦ＷＢの棟わきの屋根瓦ＷＢ１の表面に対して弾性的に圧縮された状態に設置されるので、屋根瓦ＷＢの葺き具合に若干の不具合を生じて面戸脚部４の縁部４ａと棟わきの屋根瓦ＷＢ１との間に隙間を生じても、この弾性部材５により同隙間を弾性的に遮蔽するものであるから、該隙間から雨水あるいは風等が侵入することを防止するものである。
【００１７】
さらに、面戸本体１Ａの側面に位置する面戸脚部４の開口孔部８〜８からの雨水あるいは風等の侵入に対しては該開口孔部８〜８に面して空所（この空所が通気路５に相当する）部が層状（ハニカム状態）に形成するように、例えば、多数の孔を有する段ボール紙製或いは合成樹脂製等の平板を層状に積み重ねて形成された通気路形成部材７が位置されているので、当該部位からの雨水あるいは風等の侵入を可及的に防止するものである。この場合、通気路形成部材７によって面戸本体１Ａの強度を一層高めることができるとともに、上記した換気機能を損ねることものではないこと勿論である。
【００１８】
なお、上記した実施の形態において、面戸脚部４の縁部４ａの形状について、和瓦に対応する曲線形状としたが、平板瓦、Ｓ字瓦等の形状に対応する形状としてもよく、また、通気路６〜６に連通する開口孔部８〜８の形状も図示のものに限定するものではなく、例えば、通気路６〜６全体に対応する形状であってもよい。
【００１９】
さらに、支持片部３における通気路６〜６の構成も図示した通気路形成部材７に限定するものではなく、また、棟用面戸１全体としては、図に示すように棟部に対する片側ずつ対応する構成としたが、図２に示す棟木Ｙを挟んで両側に位置する棟用面戸１を左右一体状として形成する構成であってもよい。
【００２０】
【発明の効果】
本発明は、上記のように構成したものであるから、屋根瓦と棟用瓦との空所内に位置された面戸本体の側面に位置する面戸脚部の各開口孔部によって屋根裏と外気との自然換気が簡易になし得、棟用瓦の種類に何ら制約を受けること無く、その換気構造を確保することができるとともに、その構造及び施工を極めて簡単にできるとともに、上述した換気機能を損ねることなく、開口孔部からの雨水等の侵入を可及的に防止して、その雨仕様として有効に機能することができる。
【図面の簡単な説明】
【図１】棟用面戸の斜視図である。
【図２】棟用面戸の使用状態を示す棟構造の断面図である。
【図３】棟用面戸の使用状態を示す棟用瓦を削除した棟構造の正面図である。
【図４】従来の棟用面戸の取付状態を示す説明図である。
【符号の説明】
１  棟用面戸
２  取付板本体
３  支持片部
４  面戸脚部
４ａ  縁部
５  弾性部材
６  通気路
８  開口孔部
１０  棟部
Ｙ  棟材
ＷＡ  棟用瓦
ＷＢ  屋根瓦
Ｓａ  空間部
【図１】
0003602288.tif 000002
【図２】
0003602288.tif 000003
【図３】
0003602288.tif 000004
【図４】
0003602288.tif 000005